(57)【要約】【課題】足場支柱への連結をより確実かつ安全に行うことができ、しかも極めて容易に実施することがでる仮設足場用筋交いを提供する。【解決手段】足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、前記上側連結部材及び下側連結部材は、前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有する。【選択図】図１
2008063903.tif 000002
【特許請求の範囲】
【請求項１】
足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、
前記上側連結部材及び下側連結部材は、
前記斜行材の各端部に設けられくさび受けの穴部に上方から抜き差し自在に係着するくさび部と、
２つの板状部材からなる本体部材と、
前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有する
ことを特徴とする仮設足場用筋交い。
【請求項２】
足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、
前記上側連結部材は、
前記斜行材の一端に設けられ上側くさび受けの穴部に上方から抜き差し自在に係着する上側くさび部と、
２つの板状部材からなる本体部材と、
前記本体部材の２つの板状部材の間に形成されたガイド部に沿って横方向に進退可能に設けられ、安全固定時には前記上側くさび受けの下部に前進され固定解除時には前記上側くさび受けの下部から後退される上側可動くさび部材とを有し、
前記下側連結部材は、
前記斜行材の他端に設けられ、下側くさび受けの穴部に上方から抜き差し自在に係着する下側くさび部と、
２つの板状部材の間に架設された保持ピンを有する本体部材と、
前記本体部材の保持ピンに係着して上下動するための縦溝部を有し、かつ前側には上昇時に前記下側くさび受けの穴部に下方から挿入され下降時に前記くさび受けの穴部から抜去される下側可動くさび部が一体に突設され、後部には係合部が形成された可動体と、
前記可動体の係合部に対して前進時に係合し後退時には係合解除するように前記本体部材に進退自在に設けられたロック部材とを有する
ことを特徴とする仮設足場用筋交い。
【請求項３】
前記斜行材が２本交差して配置された請求項１又は２に記載の仮設足場用筋交い。
【請求項４】
前記２本の斜行材に水平手摺り材が配置された請求項３に記載の仮設足場用筋交い。
【発明の詳細な説明】
【技術分野】
【０００１】
この発明は、仮設足場用筋交いに関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に斜行材若しくは水平材若しくは垂直材等の足場材を手すりとして先行して配置するように構成される。
【０００３】
上記の如く、足場材を配置する場合において、前記足場材を支柱のホルダーに取り外し可能に連結するための連結部材が使用された筋交いあるいは先行筋交い手摺り等が知られている（例えば、特許文献１参照）。この先行筋交い手摺りは、支柱の対角位置にあるホルダーの間に斜めに筋交いが架設さるものであって、取付作業を容易に行えるように、対角位置にある上位ホルダーにおいては係止フックにより掛止され、下位ホルダーでは係止金具のピンにより螺着固定されている。さらに、支柱に対するホルダーの固定位置や筋交い材、水平材、垂直材等の足場材自体の寸法誤差に対応するために、前記係止金具を筋交いに対して傾斜長孔で上下可動とすることにより、支柱のホルダーに関する寸法誤差が吸収されるように構成されている。
【０００４】
しかしながら、このような先行筋交い手摺りは上下方向から負荷がかかるため、係止フックが上位ホルダーより外れたり、螺着された係止金具が緩んだりする等のおそれがあり、安全性に問題があった。
【特許文献１】特開２００２−７０３０４号公報
【発明の開示】
【発明が解決しようとする課題】
【０００５】
この発明は前記の点に鑑みなされたものであり、支柱に設けられたくさび受けの位置や斜行材に多少の寸法誤差があるような場合であっても、足場支柱への連結をより確実かつ安全に行うことができ、しかも極めて容易に実施することができる仮設足場用筋交いを提供するものである。
【課題を解決するための手段】
【０００６】
すなわち、請求項１の発明は、足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、  前記上側連結部材及び下側連結部材は、前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有することを特徴とする仮設足場用筋交いに係る。
【０００７】
請求項２の発明は、足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、前記上側連結部材は、前記斜行材の一端に設けられ上側くさび受けの穴部に上方から抜き差し自在に係着する上側くさび部と、２つの板状部材からなる本体部材と、前記本体部材の２つの板状部材の間に形成されたガイド部に沿って横方向に進退可能に設けられ、安全固定時には前記上側くさび受けの下部に前進され固定解除時には前記上側くさび受けの下部から後退される上側可動くさび部材とを有し、前記下側連結部材は、前記斜行材の他端に設けられ、下側くさび受けの穴部に上方から抜き差し自在に係着する下側くさび部と、２つの板状部材の間に架設された保持ピンを有する本体部材と、前記本体部材の保持ピンに係着して上下動するための縦溝部を有し、かつ前側には上昇時に前記下側くさび受けの穴部に下方から挿入され下降時に前記くさび受けの穴部から抜去される下側可動くさび部が一体に突設され、後部には係合部が形成された可動体と、前記可動体の係合部に対して前進時に係合し後退時には係合解除するように前記本体部材に進退自在に設けられたロック部材とを有することを特徴とする仮設足場用筋交いに係る。
【０００８】
請求項３の発明は、前記斜行材が２本交差して配置された請求項１又は２に記載の仮設足場用筋交いに係る。
【０００９】
請求項４の発明は、前記２本の斜行材に水平手摺り材が配置された請求項３に記載の仮設足場用筋交いに係る。
【発明の効果】
【００１０】
請求項１の発明に係る仮設足場用筋交いによれば、足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、前記上側連結部材及び下側連結部材は、前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有するため、足場支柱への連結をより安全かつ確実に行うことができ、しかも極めて容易に実施することがでる。
【００１１】
請求項２の発明に係る仮設足場用筋交いによれば、足場支柱の間に傾斜して配設される斜行材と、前記斜行材の両端部に設けられて前記支柱に配備されたくさび受けに対して取り外し可能に係着される上側連結部材及び下側連結部材とを有する仮設足場用筋交いにおいて、前記上側連結部材は、前記斜行材の一端に設けられ上側くさび受けの穴部に上方から抜き差し自在に係着する上側くさび部と、２つの板状部材からなる本体部材と、前記本体部材の２つの板状部材の間に形成されたガイド部に沿って横方向に進退可能に設けられ、安全固定時には前記上側くさび受けの下部に前進され固定解除時には前記上側くさび受けの下部から後退される上側可動くさび部材とを有し、前記下側連結部材は、前記斜行材の他端に設けられ、下側くさび受けの穴部に上方から抜き差し自在に係着する下側くさび部と、２つの板状部材の間に架設された保持ピンを有する本体部材と、前記本体部材の保持ピンに係着して上下動するための縦溝部を有し、かつ前側には上昇時に前記下側くさび受けの穴部に下方から挿入され下降時に前記くさび受けの穴部から抜去される下側可動くさび部が一体に突設され、後部には係合部が形成された可動体と、前記可動体の係合部に対して前進時に係合し後退時には係合解除するように前記本体部材に進退自在に設けられたロック部材とを有するため、足場支柱への連結をより安全かつ確実に行うことができ、しかも極めて容易に実施することができる。
【００１２】
請求項３の発明によれば、請求項１又は２において、前記斜行材が２本交差して配置されたため、交差筋交いの足場支柱への連結をより安全かつ確実でしかも極めて容易に実施することができる。
【００１３】
請求項４の発明によれば、請求項３において、前記２本の斜行材に水平手摺り材が配置されたため、水平手摺り材の足場支柱への連結をより安全かつ確実でしかも極めて容易に実施することができる。
【発明を実施するための最良の形態】
【００１４】
以下添付の図面に従ってこの発明を詳細に説明する。
図１は本発明の第一実施例に係る仮設足場用筋交いの正面図、図２は図１の実施例の上側連結部材の要部で、支柱への取付前の状態を表した概略側面図、図３は図２の上側連結部材が支柱に取り付けられた状態を表した概略側面図、図４は図１の実施例の下側連結部材の要部で、支柱への取付前の状態を表した概略側面図、図５は図４の下側連結部材が支柱に取り付けられた状態を表した概略側面図、図６は本発明の第二実施例に係る仮設足場用筋交いの正面図、図７は図６の実施例の下側連結部材の要部で、支柱への取付前の状態を表した概略側面図、図８は図７の下側連結部材の可動体がくさび受けに挿入された状態を表した概略側面図、図９は図７の下側連結部材が支柱に取り付けられた状態を表した概略側面図である。
【００１５】
この発明の第一実施例に係る仮設足場用筋交い１０は、図１ないし図５に示し、請求項１の発明として規定したように、足場支柱Ｐ１，Ｐ２の間に傾斜して配設される斜行材１３と、前記斜行材１３の両端部１３ａ，１３ｂに設けられて前記支柱に配備されたくさび受けＱ１，Ｑ２に対して取り外し可能に係着される上側連結部材２０及び下側連結部材６０とを有する。前記上側連結部材２０及び下側連結部材６０は、前記斜行材１３の各端部１３ａ，１３ｂに設けられくさび受けＱの穴部に上方から抜き差し自在に係着するくさび部３０と、２つの板状部材４１，４２からなる本体部材４０と、前記本体部材４０の２つの板状部材４１，４２の間に形成されたガイド部４６，４７，４８に沿って横方向に進退可能に設けられ、安全固定時には前記くさび受けの下部に前進され固定解除時には前記くさび受けの下部から後退される可動くさび部材５０とから形成される。
【００１６】
また、図１の仮設足場用筋交い１０は、請求項３及び請求項４の発明として規定したように、前記斜行材１３，１３が２本交差して、前記２本の斜行材１３，１３に水平手摺り材１５が配置されるように構成される。各斜行材１３，１３は、足場支柱Ｐ１，Ｐ２の間に傾斜して配設され、斜行材１３の両端部１３ａ，１３ｂに設けられて前記支柱に配備されたくさび受けＱ１，Ｑ２に対して取り外し可能に係着される上側連結部材２０及び下側連結部材６０を有している。また、実施例では２つの斜行材１３，１３は、中央部において固定ピン１４ｃによって枢着されており、各斜行材の上端部１３ａが固定ピン１４ａにより固定部材１８に固着され、各下端部１３ｂにおいては、下側連結部材６０のくさび部３０に溶接によって固着されている。なお、実施例における仮設足場用筋交いを構成する２本の斜行材１３，１３は同一構成であるため、一の斜行材１３の構成について述べる。以下の実施例も同様である。
【００１７】
まず、上側連結部材２０は、図２及び図３に示すように、くさび部３０と、本体部材４０と、可動くさび部材５０を有する。くさび部３０は、斜行材１３の一端に設けられ、上側くさび受けＱ１の穴部５に上方から抜き差し自在に係着される。実施例では、くさび部３０の後部３２が溶接により固定部材１８に固着されるとともに、斜行材１３の上端部１３ａが固定ピン１４ａにより固定部材１８に固定されることにより、くさび部３０と斜行材１３が一体に形成される。また、同様にくさび部３０の下部３３は、溶接により本体部材４０に固着される。なお、図中の符号３１はくさび受けＱ１の上穴部５に挿入可能な突部である。
【００１８】
本体部材４０は、２つの板状部材４１，４２からなる。また、この本体部材４０の２つの板状部材４１，４２の間に固着されるリベット４６、本体部材４０の下端部に設けられるガイド部４７、前記ガイド部４７の上方でリベット４６と略同一の高さにガイド部４８が設けられ、これらリベット４６、ガイド部４７，４８が後述の可動くさび部材５０のガイド部として構成される。
【００１９】
可動くさび部材５０は、本体部材の２つの板状部材４１，４２の間に形成されたガイド部４６，４７，４８に沿って横方向に進退可能に設けられ、安全固定時には前記上側くさび受けＱ１の下部に前進され固定解除時には前記上側くさび受けＱ１の下部から後退される。実施例の可動くさび部材５０は、ガイド部であるリベット４６，ガイド部４７，４８によって前後方向に進退可能に狭持されることにより、横方向への直動が可能に構成されている。この可動くさび部材５０の上側には脱落防止部５３が設けられていて、後方に直動させた際に前記脱落防止部５３が本体部材４０のリベットであるガイド部４６に係止されて脱落しないように構成される。また、この上側可動くさび部材５０は、前部５２がくさび状に構成された棒状部材５１からなり、棒状部材５１の後部にはハンマー打ち込みようの突部５６が形成されている。
【００２０】
一方、下側連結部材６０は、図１のように、斜行材１３の下端部１３ｂに設けられて足場支柱Ｐ２に配備された下側くさび受けＱ２に対して取り外し可能に係着される。また、図４及び図５からよく理解されるように、下側連結部材６０は上側連結部材２０と同様に、くさび部３０と、本体部材４０と、可動くさび部材５０より構成される。実施例において、下側連結部材６０のくさび部３０は、その後部３２と斜行材１３の下端部１３ｂが溶接により固着されて、斜行材１３と一体に形成される。なお、図４及び図５の下側連結部材６０における各構成部材において、上側連結部材２０と同一符号は同一構成を表すものとしてその説明を省略する。
【００２１】
次に、当該仮設足場用筋交い１０の足場支柱Ｐ１，Ｐ２への連結方法について図２ないし図５を用いて説明する。連結前において、上側連結部材２０及び下側連結部材６０は、図２及び図４に示されるように、可動くさび部材５０が後退して脱落防止部５３が本体部材４０のリベット４６に係止された状態である。ここでは、図１の実施例である仮設足場用筋交い１０を構成する２本の斜行材は同一構成であるので、一の斜行材１３の足場支柱Ｐ１，Ｐ２への連結方法について説明する。以下の実施例についても同様である。
【００２２】
まず、図２から理解されるように、斜行材１３の上端部１３ａに設けられた上側連結部材２０において、くさび部３０の突部３１を足場支柱Ｐ１の上側くさび受けＱ１の穴部５に上方から差し込むことにより、当該足場用仮設筋交い１０の足場支柱Ｐ１への連結が開始される。
【００２３】
次いで、図３に示すように、可動くさび部材５０をガイド部４６，４７，４８に沿って前進させて、該可動くさび部材５０の後部に形成された突部５６を後側から前側に向かってハンマー等を用いて打ち込むことにより、前記可動くさび部材５０の前部５２が上側くさび受けＱ１下部に係着して、前記上側くさび受けＱ１下部及び３つのガイド部４６，４７，４８によって固定される。これにより、くさび部３０と可動くさび部材５０とによって上側くさび受けＱ１が上下から把持されて安全固定され、上側連結部材２０による足場用仮設筋交い１０の足場支柱Ｐ１への連結が完了する。
【００２４】
次に、下側連結部材６０において、図４から理解されるように、斜行材１３の下端部１３ｂに一体に設けられたくさび部３０の突部３１が足場支柱Ｐ２の下側くさび受けＱ２の穴部６に上方から差し込まれ、当該足場用仮設筋交い１０の足場支柱Ｐ２への連結が開始される。なお、下側連結部材６０の各構成部材は上側連結部材２０と同一構成であり、下側連結部材６０の足場支柱Ｐ２への連結方法は、上述の上側連結部材２０の連結方法と同様であるので説明を省略する。下側連結部材６０によって仮設足場用筋交い１０が足場支柱Ｐ２へ連結されると、図５に示されるように、下側連結部材６０のくさび部３０と可動くさび部材５０とによって下側くさび受けＱ２が上下から把持されて安全に固定される。なお、仮設足場用筋交い１０の足場支柱Ｐ１，Ｐ２への連結は、斜行材の有する寸法誤差や、足場支柱に設けられたくさび受けの位置のズレによるがたつきや遊びを解消して斜行材が緊張状態となるように確実に行われ、以下の実施例についても同様である。
【００２５】
また、仮設足場用筋交い１０の上側連結部材２０及び下側連結部材６０を足場支柱Ｐ１，Ｐ２から取り外す場合は、図３及び図５に示すように、可動くさび部材５０の突部５６を前側から後側に向かってハンマー等を用いて打ち込んで、前記可動くさび部材５０の前部を足場支柱Ｐ１，Ｐ２の上側くさび受けＱ１，Ｑ２下部から後退させて固定解除し（図２，図４参照）、続いて、くさび部３０の突部３１をくさび受けＱ１，Ｑ２の上穴部５，６から抜去させることで当該仮設足場用筋交い１０の足場支柱Ｐ１，Ｐ２からの取り外しが完了する。
【００２６】
続いて、この発明の第二実施例である仮設足場用筋交い１１について説明する。図６に示し、請求項２の発明として規定したように、仮設足場用筋交い１１は、足場支柱Ｐ１，Ｐ２の間に傾斜して配設される斜行材１３と、前記斜行材の両端部１３ａ，１３ｂに設けられて前記支柱に配備されたくさび受けＱ１，Ｑ２に対して取り外し可能に係着される上側連結部材７０及び下側連結部材１１０とを有し、前記上側連結部材７０は、前記斜行材の一端に設けられ上側くさび受けＱ１の穴部に上方から抜き差し自在に係着する上側くさび部８０と、２つの板状部材９１，９２からなる本体部材９０と、前記本体部材の２つの板状部材の間に形成されたガイド部に沿って横方向に進退可能に設けられ、安全固定時には前記上側くさび受けの下部に前進され固定解除時には前記上側くさび受けの下部から後退される上側可動くさび部材１００を有し、前記下側連結部材１１０は、前記斜行材の他端に設けられ、下側くさび受けＱ２の穴部に上方から抜き差し自在に係着する下側くさび部１２０と、２つの板状部材１３１，１３２の間に架設された保持ピン１３５を有する本体部材１３０と、前記本体部材の保持ピンに係着して上下動するための縦溝部１４２を有し、かつ前側には上昇時に前記下側くさび受けの穴部に下方から挿入され下降時に前記くさび受けの穴部から抜去される下側可動くさび部１４３が一体に突設され、後部には係合部１４５が形成された可動体１４０と、前記可動体の係合部に対して前進時に係合し後退時には係合解除するように前記本体部材に進退自在に設けられたロック部材１５０とから形成される。
【００２７】
また、図６の仮設足場用筋交い１１は、第一実施例と同様に前記斜行材１３，１３が２本交差して、前記２本の斜行材１３，１３に水平手摺り材１５が配置されるように構成される。なお、第二実施例において、第一実施例と同一符号は同一の構成を表すものとしてその説明を省略する。
【００２８】
まず、上側連結部材７０は、図２及び図３からよく理解されるように、第一実施例の上側連結部材２０と同一構成とされ、上側くさび部８０と、本体部材９０と、上側可動くさび部材１００より形成される。これら各構成部材は、それぞれ上側連結部材２０のくさび部３０、本体部材４０、可動くさび部材５０と同一構成であるため、その説明を省略する。
【００２９】
次に、下側連結部材１１０は、図７ないし図９に示すように、下側くさび部１２０と、本体部材１３０と、可動体１４０と、ロック部材１５０とから構成される。下側くさび部１２０は、斜行材１３の他端である下端部１３ｂに設けられ、下側くさび受けＱ２の穴部６に上方から抜き差し自在に係着される。実施例の下側くさび部１２０は、その後部１２２が本体部材１３０に溶接によって一体に形成されている。図中の符号１２１はくさび受けＱ２の穴部６に挿入可能な突部である。
【００３０】
本体部材１３０は、２つの板状部材１３１，１３２の間に架設された保持ピン１３５を有し、斜行材１３を固定するものである。実施例の本体部材１３０は、斜行材１３の下端部１３ｂを各板状部材１３１，１３２によって狭持するとともに、前記各板状部材１３１，１３２を貫通する固定ピン１４ｂによって固定するように構成される。また、この本体部材１３０には複数のガイドピン１３６，１３７，１３８，１３９が設けられており、そのうち、ガイドピン１３６，１３７が後述の可動体１４０を上下方向に直動させるための上下動ガイドピンとして構成され、ガイドピン１３７，１３８，１３９が後述のロック部材を前後方向に直動させるための前後動ガイドピンとして構成される。この実施例において、上下動ガイドピンとしてのガイドピン１３６，１３７は、本体部材１３０の略中心位置に上下方向に略同一直線状で配置される。前後動ガイドピンとしてのガイドピン１３７，１３８，１３９は、本体部材１３０の下側に前後方向に略同一直線でガイドピン１３７，１３８が配置されるとともに、その上方にガイドピン１３９が配置される。なお、図示したことからよく理解されるように、ガイドピン１３７は上下動ガイドピンと前後動ガイドピンを兼ねるものである。
【００３１】
可動体１４０は、本体部材１３０の保持ピン１３５に係着して上下動するための縦溝部１４２を有し、かつ前側には上昇時に前記下側くさび受けＱ２の穴部６に下方から挿入され下降時に前記くさび受けＱ２の穴部６から抜去される下側可動くさび部１４３が一体に突設され、後部には係合部１４５が形成される。この可動体１４０は、上下動ガイドピン１３６，１３７の前側に配置され、後部が縦溝部１４２に係着した保持ピン１３５とガイドピン１３６，１３７とによってスライド自在に狭持されることにより、上下方向への直動が可能に構成されている。また、この可動体１４０の後部上側には後側に突出した脱落防止部１４８が設けられていて、下方に直動させた際に前記脱落防止部１４８が本体部材１３０の上下動ガイドピン１３６に係止されて脱落しないように構成される。
【００３２】
ロック部材１５０は、可動体１４０の係合部１４５に対して前進時に係合し後退時には係合解除するように本体部材１３０に進退自在に設けられている。実施例のロック部材１５０は、前後動ガイドピン１３７，１３８，１３９によってスライド自在に狭持されることにより、前後方向への直動が可能に構成されている。また、このロック部材１５０の先端部上側には脱落防止部１５３が設けられていて、後方に直動させた際に前記脱落防止部１５３が本体部材１３０の前後動ガイドピン１３９に係止されて脱落しないように構成される。さらに、このロック部材１５０は、先端部１５５がくさび状に構成された棒状部材１５１からなり、前記くさび状の先端部１５５が可動体１４０の係合部１４５と係合可能に構成され、棒状部材１５１の後部にはハンマー打ち込み用の突部１５６が形成されている。
【００３３】
次に、当該仮設足場用筋交い１１の足場支柱Ｐ１，Ｐ２への連結方法について説明する。なお、上側連結部材７０の足場支柱Ｐ１への連結方法及び足場支柱Ｐ１からの取り外し方法は、第一実施例の上側連結部材２０の場合と同様であるので、その説明を省略する。連結前において、下側連結部材１１０は、図７のように可動体１４０が下方にスライドして保持ピン１３５及び上下動ガイドピン１３６によって縦溝部１４２及び脱落防止部１４８がそれぞれ係止されるとともに、ロック部材１５０が後方にスライドして前後動ガイドピン１３９によって脱落防止部１０３が係止された状態である。
【００３４】
まず、図７に示されるように、斜行材１３の下端部１３ｂに設けられた下側連結部材１１０において、下側くさび部１２０の突部１２１を、足場支柱Ｐ２に配設されたくさび受けＱ２の穴部６に上方から挿入することにより、当該足場用仮設筋交い１１の足場支柱Ｐ２への連結が開始される。
【００３５】
次いで、図８に示すように、可動体１４０を上下動ガイドピン１３６，１３７に沿って上方に直動させることにより、前記可動体１４０の下側可動くさび部１４３が下側くさび受けＱ２の穴部６の下方から挿入されて、下側くさび部１２０及び可動体１４０によって下側くさび受けＱ２が上下両側から把持される。
【００３６】
そして、図９からよく理解されるように、ロック部材１５０を前後動ガイドピン１３７，１３８，１３９に沿って前方に直動させるとともに、該ロック部材１５０の後部に形成された突部１５６を後側から前側に向かってハンマー等を用いて打ち込んで前進させることにより、くさび状の先端部１５５が可動体１４０の係合部１４５に係合される。前記可動体１４０が固定されて当該下側連結部材１１０による仮設足場用筋交い部材１１の足場支柱Ｐ２への連結が完了する。  
【００３７】
なお、仮設足場用筋交い１１の下側連結部材１１０を足場支柱Ｐ２から取り外す場合には、図９から理解されるように、ロック部材１５０の突部１５６を前側から後側に向かってハンマー等を用いて打ち込んで後退させることにより、くさび状の先端部１５５を可動体１４０の係合部１４５から係合解除され、図８に示すように、前記可動体１４０の固定が解除される。そして、図７に示すように、可動体１４０を上下動ガイドピン１３６，１３７に沿って下方向に直動させることにより、前記可動体１４０の下側可動くさび部１４３が下側くさび受けＱ２の穴部６から抜去され、続いて、下側くさび部１２０の突部１２１を下側くさび受けＱ２の穴部６から抜去させることで当該下側連結部材１１０の足場支柱Ｐ２からの取り外しが完了する。
【００３８】
上述のように、本発明の仮設足場用筋交いは、足場支柱への連結をより確実かつ安全に行うことができ、しかも極めて容易に実施することができる。なお、本発明の仮設足場用筋交いは、前述の実施例のみに限定されるものではなく、足場支柱の間に傾斜される１本の斜行材から構成されたり、水平手摺り材が配置されない構成とされてもよく、発明の趣旨を逸脱しない範囲において構成の一部を適宜に変更して実施することができる。
【図面の簡単な説明】
【００３９】
【図１】本発明の一実施例に係る仮設足場用筋交いの正面図である。
【図２】図１の実施例の上側連結部材の要部で、支柱への取付前の状態を表した概略側面図である。
【図３】図２の上側連結部材が支柱に取り付けられた状態を表した概略側面図である。
【図４】図１の実施例の下側連結部材の要部で、支柱への取付前の状態を表した概略側面図である。
【図５】図４の下側連結部材が支柱に取り付けられた状態を表した概略側面図である。
【図６】本発明の第二実施例に係る仮設足場用筋交いの正面図である。
【図７】図６の実施例の下側連結部材の要部で、支柱への取付前の状態を表した概略側面図である。
【図８】図７の下側連結部材の可動体がくさび受けに挿入された状態を表した概略側面図である。
【図９】図７の下側連結部材が支柱に取り付けられた状態を表した概略側面図である。
【符号の説明】
【００４０】
１０，１１  仮設足場用筋交い
１３  斜行材
１３ａ，１３ｂ  両端部
１５  水平手摺り材
２０，７０  上側連結部材
３０，８０  （上側）くさび部
４０，９０  本体部材
５０，１００  （上側）可動くさび部材
６０，１１０  下側連結部材
１２０  下側くさび部
１３０  本体部材
１４０  可動体
１５０  ロック部材
Ｐ１，Ｐ２  足場支柱
Ｑ１，Ｑ２  くさび受け
【図１】
2008063903.tif 000003
【図２】
2008063903.tif 000004
【図３】
2008063903.tif 000005
【図４】
2008063903.tif 000006
【図５】
2008063903.tif 000007
【図６】
2008063903.tif 000008
【図７】
2008063903.tif 000009
【図８】
2008063903.tif 000010
【図９】
2008063903.tif 000011